(57)【要約】      （修正有）【課題】無段階で円滑・静粛に閉蓋できる床下点検口や床下収納庫の蓋開閉機構を提供する。【解決手段】床下点検口の外枠Ｆへ枢着された開閉蓋Ｃと、両サイド支持ステーＳと、荷重支持バネ３７と、支持ステーＳの先端部へ各々軸支された遊転ローラー３１と、外枠Ｆへの固定状態に列設された平行な走行ガイドレールＧとを備えた床下点検口用の蓋開閉機構において、荷重支持バネ３７の巻き付け芯になる第２支点軸Ｐ２をサイド支持ステーＳと一体回転し得る揺動ダンパーＤとして、そのダンパーＤから制動トルクを発生させると共に、第１支点軸Ｐ１を中心として伏倒する閉蓋方向へ回動進行する程大きくなる開閉蓋Ｃの荷重との相対的に弱くなる揺動ダンパーＤの制動トルクを、逆に相対的に強くなる荷重支持バネ３７の張力により補完して、開閉蓋を全閉状態までの全体としてほぼ均一な回動速度のもとに伏倒させるように設定した。【選択図】図１
2017057669.tif 000002
【特許請求の範囲】
【請求項１】
床下点検口又は床下収納庫本体の開口を区画する額縁形態の外枠へ、水平な第１支点軸を介して起伏的な回動自在に枢着された開閉蓋と、
上記開閉蓋の中途部へ水平な第２支点軸を介して、基端部が各々回動自在に枢着された左右一対のサイド支持ステーと、
上記開閉蓋を常時起し上げ開蓋する回動方向へ弾圧付勢すべく、上記サイド支持ステーの第２支点軸に各々巻き付けられた左右一対の荷重支持バネと、
上記サイド支持ステーの先端部へ各々軸支された左右一対の遊転ローラーと、
その遊転ローラーを前後方向へ移動させるべく、上記外枠又は床組み構造材への固定状態に列設された左右一対の平行な走行ガイドレールとを備えた床下点検口用又は床下収納庫用の蓋開閉機構において、
上記荷重支持バネの巻き付け芯になる第２支点軸を上記開閉蓋のサイド支持ステーと一体回転し得る揺動ダンパーとして、その揺動ダンパーから閉蓋方向の制動トルクを発生させると共に、
上記第１支点軸を中心として伏倒する閉蓋方向へ回動進行する程、大きくなる開閉蓋の荷重との相対的に弱くなる上記揺動ダンパーの制動トルクを、逆に相対的に強くなる上記荷重支持バネの張力により補完して、
上記開閉蓋を全閉状態までの全体としてほぼ均一な回動速度のもとに伏倒させるように設定したことを特徴とする床下点検口用又は床下収納庫用の蓋開閉機構。
【請求項２】
左右一対のサイド支持ステー用取付ブラケットを開閉蓋の中途部へ裏側から各々固定して、その取付ブラケットに軸架された水平な揺動ダンパーの出力軸部へ、サイド支持ステーの基端部に造形された取付円板の中心部を、各々一体回動し得るように差し込み嵌合させると共に、
その取付円板の円周面へ一定な回動角度範囲分だけ歯を刻設する一方、
上記開閉蓋をその全閉状態から全開状態へ起し上げて行く中途過程において、その開閉蓋の操作手を放した時だけ上記歯に係止する係止爪を上記取付ブラケットへ、常時歯と係止する方向への弾圧付勢状態に枢着したことを特徴とする請求項１記載の床下点検口用又は床下収納庫用の蓋開閉機構。
【請求項３】
左右一対のサイド支持ステー用取付ブラケットを開閉蓋の中途部へ裏側から各々固定して、その取付ブラケットに軸架された水平な揺動ダンパーの出力軸部へ、サイド支持ステーの基端部に造形された取付円板の中心部を、各々一体回動し得るように差し込み嵌合させると共に、
そのサイド支持ステーの中途部から水平のバネ受けピンを内向きに突出させる一方、上記取付ブラケットに揺動ダンパーと軸線同士が平行する水平なバネ受けピンを固定横架させて、
上記揺動ダンパーに巻き付けられた荷重支持バネの比較的長い切り離し一端部を、可動部材である上記サイド支持ステー側のバネ受けピンへ、同じく荷重支持バネの比較的短かい切り離し他端部を固定部材である上記取付ブラケット側のバネ受けピンへ、各々係止させたことを特徴とする請求項１記載の床下点検口用又は床下収納庫用の蓋開閉機構。
【請求項４】
サイド支持ステーの中途部をなす円弧形ピン受け入れ板片の円弧運動軌跡に沿って、荷重支持バネの張力調整用となる複数のネジ孔を開口分布させ、同じくサイド支持ステーの基端部をなす取付円板の円弧運動軌跡に沿って、複数のロックピン受け入れ孔を開口分布させると共に、
荷重支持バネの比較的長い切り離し一端部が係止されるバネ受けピンを、上記ピン受け入れ板片のネジ孔へ択一的にねじ込み設置する一方、
同じく荷重支持バネの比較的短かい切り離し他端部が係止されるバネ受けピンを、その首部にバネ受け凹周溝が切り欠かれた長い回動ロックピンとしてサイド支持ステー用取付ブラケットへ、その先端部が常に上記取付円板のロックピン受け入れ孔まで差し込み係止される方向の弾圧付勢状態として、抜き差し自在又は進退自在に通し込み設置したことを特徴とする請求項３記載の床下点検口用又は床下収納庫用の蓋開閉機構。
【発明の詳細な説明】
【技術分野】
【０００１】
本発明は建物の床面に開口する床下点検口や床下収納庫の蓋開閉機構に関する。
【背景技術】
【０００２】
本発明の出願人は床下点検口用又は床下収納庫用の蓋開閉機構について、既に特許第５３７７６８７号を取得しており、その実施事業を行っている。
【０００３】
これはその特許公報（特許文献１）に記載のとおり、開閉蓋（Ｃ）におけるサイド支持ステー（１３）の第２支点軸（Ｐ２）に巻き付けられた荷重支持バネ（キックバネ／蔓巻きコイルバネ）（１５）と、スライドガイドレール（Ｇ）に取り付けられた閉蓋用の伸縮性突っ張りストッパー（圧縮コイルバネ）（２７）とを備え、開閉蓋（Ｃ）を図１の全開状態から伏倒してゆく回動作用過程において、上記第２支点軸（Ｐ２）が図６のような第１支点軸（Ｐ１）と第３支点軸（Ｐ３）とを結ぶ一直線上の思案点（Ｙ−Ｙ）に位置した時、上記突っ張りストッパー（２７）を最も短く圧縮し、引き続き第２支点軸（Ｐ２）が上記思案点（Ｙ−Ｙ）を越えて下方へ伏倒した図７のような全閉時に、その開閉蓋（Ｃ）の全閉状態を上記突っ張りストッパー（２７）の復元張力によって自動ロックするようになっている。
【先行技術文献】
【特許文献】
【０００４】
【特許文献１】特許第５３７７６８７号公報
【発明の概要】
【発明が解決しようとする課題】
【０００５】
ところが、上記特許文献１に開示の構成では第２支点軸（Ｐ２）が思案点（Ｙ−Ｙ）に到達するまでの間、開閉蓋（Ｃ）は比較的速く回動作用し、その思案点（Ｙ−Ｙ）に到達するや一旦停止することとなり、更に開閉蓋（Ｃ）を下方へ伏倒させる必要があるため、全体としてほぼ均一な速度での円滑・無段階に全閉させることができず、その閉蓋操作上未だ煩らわしく不便であるほか、図６のような思案点（Ｙ−Ｙ）に到達する直前において、開閉蓋（Ｃ）の左右両サイド部と点検口（Ｏ）の開口縁部との相互間で、操作手や衣服の袖などを詰めるおそれがある。
【０００６】
又、開閉蓋（Ｃ）自身の荷重（質量）と荷重支持バネ（１５）の張力と伸縮性突っ張りストッパー（２７）の張力とを、その全体的な均衡状態に保つこと（調整）は至難の業である。
【０００７】
まして、上記突っ張りストッパー（２７）の設置を省略し、荷重支持バネ（１５）の張力だけで開閉蓋（Ｃ）の荷重に対抗しながら、その開閉蓋（Ｃ）を静粛・円滑に安定良く全閉させることは、そのバネ圧（張力）が使用される程弱くなることや開閉蓋（Ｃ）の荷重が傾斜角度（開度）に応じて変化することなどを考慮しないとしても、到底不可能である。
【０００８】
この点、上記荷重支持バネ（１５）の使用に代えて、特開２０１４−２２４５８２号や特開２００９−９２０８６号などに見られるような一方向（開閉蓋の閉蓋方向）だけに制動トルク（負荷）が発生する固定式の揺動ダンパーを使用することも考えられるが、その揺動ダンパーだけでは上記開閉蓋（Ｃ）の荷重が傾斜角度（開度）に応じて変化し、全閉方向へ伏倒する程大きくなるに比して、揺動ダンパーの制動トルクは一定であるため、その制動トルクの強い揺動ダンパーを使用すると、開閉蓋の全閉状態を得ることができず、逆に制動トルクの弱い揺動ダンパーを使用すると、開閉蓋が高速での勢いよく伏倒して、衝撃音を発すると共に甚だ危険である。
【０００９】
更に言えば、上記揺動ダンパーにはその構造上約２０〜３０度の余裕角度（所謂遊び角度／クリヤランス）が必らず設けられているため、上記開閉蓋を全閉状態から全開状態へ起し上げて行く途中において、その操作手を万一放した場合、開閉蓋が即座に落下してしまう危険がある。
【課題を解決するための手段】
【００１０】
本発明はこのような諸問題の抜本的な解決を目的としており、その目的を達成するために、請求項１では床下点検口又は床下収納庫本体の開口を区画する額縁形態の外枠へ、水平な第１支点軸を介して起伏的な回動自在に枢着された開閉蓋と、
【００１１】
上記開閉蓋の中途部へ水平な第２支点軸を介して、基端部が各々回動自在に枢着された左右一対のサイド支持ステーと、
【００１２】
上記開閉蓋を常時起し上げ開蓋する回動方向へ弾圧付勢すべく、上記サイド支持ステーの第２支点軸に各々巻き付けられた左右一対の荷重支持バネと、
【００１３】
上記サイド支持ステーの先端部へ各々軸支された左右一対の遊転ローラーと、
【００１４】
その遊転ローラーを前後方向へ移動させるべく、上記外枠又は床組み構造材への固定状態に列設された左右一対の平行な走行ガイドレールとを備えた床下点検口用又は床下収納庫用の蓋開閉機構において、
【００１５】
上記荷重支持バネの巻き付け芯になる第２支点軸を上記開閉蓋のサイド支持ステーと一体回転し得る揺動ダンパーとして、その揺動ダンパーから閉蓋方向の制動トルクを発生させると共に、
【００１６】
上記第１支点軸を中心として伏倒する閉蓋方向へ回動進行する程、大きくなる開閉蓋の荷重との相対的に弱くなる上記揺動ダンパーの制動トルクを、逆に相対的に強くなる上記荷重支持バネの張力により補完して、
【００１７】
上記開閉蓋を全閉状態までの全体としてほぼ均一な回動速度のもとに伏倒させるように設定したことを特徴とする。
【００１８】
又、請求項２では左右一対のサイド支持ステー用取付ブラケットを開閉蓋の中途部へ裏側から各々固定して、その取付ブラケットに軸架された水平な揺動ダンパーの出力軸部へ、サイド支持ステーの基端部に造形された取付円板の中心部を、各々一体回動し得るように差し込み嵌合させると共に、
【００１９】
その取付円板の円周面へ一定な回動角度範囲分だけ歯を刻設する一方、
【００２０】
上記開閉蓋をその全閉状態から全開状態へ起し上げて行く中途過程において、その開閉蓋の操作手を放した時だけ上記歯に係止する係止爪を上記取付ブラケットへ、常時歯と係止する方向への弾圧付勢状態に枢着したことを特徴とする。
【００２１】
請求項３では左右一対のサイド支持ステー用取付ブラケットを開閉蓋の中途部へ裏側から各々固定して、その取付ブラケットに軸架された水平な揺動ダンパーの出力軸部へ、サイド支持ステーの基端部に造形された取付円板の中心部を、各々一体回動し得るように差し込み嵌合させると共に、
【００２２】
そのサイド支持ステーの中途部から水平のバネ受けピンを内向きに突出させる一方、上記取付ブラケットに揺動ダンパーと軸線同士が平行する水平なバネ受けピンを固定横架させて、
【００２３】
上記揺動ダンパーに巻き付けられた荷重支持バネの比較的長い切り離し一端部を、可動部材である上記サイド支持ステー側のバネ受けピンへ、同じく荷重支持バネの比較的短かい切り離し他端部を固定部材である上記取付ブラケット側のバネ受けピンへ、各々係止させたことを特徴とする。
【００２４】
更に、請求項４ではサイド支持ステーの中途部をなす円弧形ピン受け入れ板片の円弧運動軌跡に沿って、荷重支持バネの張力調整用となる複数のネジ孔を開口分布させ、同じくサイド支持ステーの基端部をなす取付円板の円弧運動軌跡に沿って、複数のロックピン受け入れ孔を開口分布させると共に、
【００２５】
荷重支持バネの比較的長い切り離し一端部が係止されるバネ受けピンを、上記ピン受け入れ板片のネジ孔へ択一的にねじ込み設置する一方、
【００２６】
同じく荷重支持バネの比較的短かい切り離し他端部が係止されるバネ受けピンを、その首部にバネ受け凹周溝が切り欠かれた長い回動ロックピンとしてサイド支持ステー用取付ブラケットへ、その先端部が常に上記取付円板のロックピン受け入れ孔まで差し込み係止される方向の弾圧付勢状態として、抜き差し自在又は進退自在に通し込み設置したことを特徴とする。
【発明の効果】
【００２７】
請求項１の構成によれば、冒頭に述べた従来技術の諸問題を完全に解決することができ、安全性と静粛性並びに使用上の利便性に優れた床下点検口用又は床下収納庫用の蓋開閉機構を得られる効果がある。
【００２８】
即ち、第１支点軸を中心として起伏的に回動作用する開閉蓋の荷重は、その回動角度（傾斜角度／開度）によって変化し、その伏倒する閉蓋方向へ進行する程大きくなるところ、揺動ダンパーから発生する制動トルク（負荷）は一定であるため、その揺動ダンパーだけでは上記開閉蓋における閉蓋方向への荷重に対抗できず、その閉蓋方向へ進行する程制動トルクが相対的に弱まることになる。
【００２９】
この点、請求項１の上記構成ではその揺動ダンパーの周囲に開閉蓋の荷重支持バネ（キックバネ／蔓巻きコイルバネ）が巻き付けられており、これは開閉蓋を常時起し上げ開蓋する方向へ押圧付勢しているため、その開閉蓋が閉蓋方向へ進行する程相対的に強くなるバネ圧（張力）によって、上記制動トルクの弱小化を補完することができ、その荷重支持バネと上記揺動ダンパーとが相俟って、上記開閉蓋の荷重をその回動角度の変化に拘らず、常時ほぼ均一に平準化し、開閉蓋を全閉状態までほぼ一定な回動速度のもとに、無段階での円滑に伏倒させることができるのである。
【００３０】
特に、請求項２の構成を採用するならば、上記揺動ダンパーに構造上の余裕角度（所謂遊び角度／クリヤランス）があることに基き、開閉蓋がその全閉状態から全開状態へ起し上げ操作される中途過程において、その操作手の不慮な解放により即刻下方へ伏倒してしまう危険性があるところ、これをその時だけ働く歯と係止爪との係止作用によって予防できる効果があり、安全性の向上に役立つ。
【００３１】
又、請求項３の構成を採用するならば、上記揺動ダンパーを巻き付け芯として巻き付けられた荷重支持バネの比較的長い切り離し一端部を、可動部材であるサイド支持ステーの中途部から内向きに突出するバネ受けピンへ係止させる一方、同じく荷重支持バネの比較的短かい切り離し他端部を、固定部材の取付ブラケット側に固定横架されたバネ受けピンへ係止させることにより、その取付ブラケットに揺動ダンパーと開閉蓋のサイド支持ステーとが、一体回動し得るように組み付けられていることとも相俟って、著しく合理的な納まり状態に仕上げることができる。
【００３２】
その場合、請求項４の構成を採用するならば、上記可動部材であるサイド支持ステー側のバネ受けピンを、その複数のネジ孔へ択一的に差し替えることによって、荷重支持バネの張力を強弱調整できるほか、上記固定部材である取付ブラケット側のバネ受けピンを、特殊なバネ受け凹周溝が首部に切り欠かれた長い回動ロックピンとして、その回動ロックピンの先端部を取付ブラケットから上記サイド支持ステー側のロックピン受け入れ孔へ、自づと差し込み係止できるように定めることにより、上記荷重支持バネが使用中に万一折損したり、その長い切り離し一端部が可動部材であるサイド支持ステー側のバネ受けピンから離脱したりしても、上記サイド支持ステーと延いては揺動ダンパー並びに開閉蓋の回動を確実にロックすることができ、安全性が向上する効果もある。
【図面の簡単な説明】
【００３３】
【図１】本発明の床下点検口に適用実施した開閉蓋の全開状態を示す側面図である。
【図２】図１の正面図である。
【図３】走行ガイドレールに対する遊転ローラーの係合状態を示す部分拡大断面図である。
【図４】図１から開閉蓋を伏倒する中途過程の側面図である。
【図５】図４に続く開閉蓋の全閉状態を示す側面図である。
【図６】開閉蓋とそのサイド支持ステーとの取付部分を抽出して示す拡大側面図である。
【図７】図６の正面図である。
【図８】図６の平面図である。
【図９】サイド支持ステーを抽出して示す拡大側面図である。
【図１０】揺動ダンパーにおける制動トルクの発生作用状態を示す拡大断面図である。
【図１１】同じく揺動ダンパーにおける制動トルクの非発生作用状態を示す拡大断面図である。
【図１２】遊転ローラーの走行ガイドレールを抽出して示す側面図である。
【図１３】図１２の平面図である。
【図１４】図１の部分拡大側面図である。
【図１５】図４の部分拡大側面図である。
【図１６】図５の部分拡大側面面である。
【図１７】図１６から開閉蓋を起し上げる中途過程での歯に対する係止爪の係止状態を示す拡大側面図である。
【図１８】開閉蓋のサイド支持ステーに対する回動ロックピンの差し込み係止状態を示す図６に対応する拡大側面図である。
【図１９】図１８の１９−１９線断面図である。
【図２０】本発明の床下収納庫に適用実施した開閉蓋の全開状態を示す図１に対応する側面図である。
【図２１】図２０の正面図であって、図２と対応する。
【図２２】外枠と走行ガイドレールとの一体成形品を取付使用状態において示す拡大断面図である。
【発明を実施するための形態】
【００３４】
以下、図面に基いて本発明の具体的構成を詳述すると、図１〜１９はその床下点検口の開閉蓋に適用した本発明の実施形態を示しており、（Ｆ）は床板（１）の方形な切り欠き開口部（点検口）（Ｏ）と対応する額縁形態に組立一体化された外枠であって、一定深さの囲い立壁（２）と、その上端部から内外方向へ張り出す化粧用トップフランジ（３）と、同じく囲い立壁（２）の下端部から内向きに張り出す蓋受け用ベースフランジ（４）とを備え、そのトップフランジ（３）が上記床板（１）の点検口（Ｏ）を縁取り被覆した係止状態のもとで、その囲い立壁（２）が床板（１）へ直かに又は上記ベースフランジ（４）と締結される別個な支持金具（図示省略）を介して、床組み構造材（根太）（５）に取り付け固定されている。その床板（１）や床組み構造材（５）に対する外枠（Ｆ）の固定ビスは、図示省略してある。
【００３５】
（Ｃ）は上記外枠（Ｆ）の内部に嵌合し得る大きさと平面形状の開閉蓋であって、一定厚みの合板（６）とその周縁部へタッピングネジ（図示省略）などを介して被着一体化された蓋枠（内枠）（７）とから成り、その蓋枠（７）の方形な一辺（後辺）が複数の蝶番（８）によって、上記外枠（Ｆ）の囲い立壁（２）へ内側から枢着されている。
【００３６】
その結果、開閉蓋（Ｃ）は蝶番（８）の水平な第１支点軸（Ｐ１）を中心として、図１〜５のように起伏的に回動作用し得る。（９）はその開閉蓋（Ｃ）の前辺へ片寄った位置において、沈没状態に枢着された半円形の回動把手であり、これを起し出して開閉操作できるようになっている。
【００３７】
その場合、図示の実施形態では上記開閉蓋（Ｃ）の蓋枠（７）を別個なコーナー連結ピース（１０）の介挿使用によって、平面視の方形に枠組み一体化しているが、このような合成樹脂製コーナー連結ピース（１０）の使用を省略して、上記蓋枠（７）をその隣り合う端部同士での約４５度に突き合わせることにより、同様な額縁形態に組立一体化しても良い。
【００３８】
（Ｂ）は左右一対のサイド支持ステー用取付ブラケットであって、その何れも向かい合う一対のアングル形鋼板（１１）から図６〜８のように、全体的なチャンネル溝形（門字形）に組立一体化されている。つまり、各取付ブラケット（Ｂ）におけるアングル形鋼板（１１）のフラットな座板片（１１ａ）同士が重合された上、複数の皿ビス（１２）を介して固定されているのである。
【００３９】
そして、その各取付ブラケット（Ｂ）の座板片（１１ａ）は別個な複数の皿ビス（１３）や接着剤などによって、上記開閉蓋（Ｃ）における左右両サイド辺の中途部へ裏側から取り付け固定されている一方、その取付状態のもとで開閉蓋（Ｃ）から裏向きに突出することとなる上記アングル形鋼板（１１）の向かい合う平行な起立板片（１１ｂ）のほぼ中央部には、上記第１支点軸（Ｐ１）と平行な水平の第２支点軸（Ｐ２）となる揺動ダンパー（Ｄ）が横断状態に軸架されている。
【００４０】
揺動ダンパー（Ｄ）はオイルの圧力（粘性抵抗）により発生する制動トルクを利用した回転系のダンパーであって、図１０、１１に例示するように、回転軸（１４）が作動室（１５）の一方（Ａ）へ回転すると、弁体（１６）がオイルの圧力を受けて閉止面（１７）に接当し、オイルの流通を阻止することにより、制動トルクを発生させると共に、同じく回転軸（１４）が作動室（１５）の他方（Ｒ）へ回転すると、弁体（１６）が閉止面（１７）から離れて、オイルの流通を許容することにより、制動トルクを発生させない構成になっているため、その制動トルクを発生させる回転方向（Ａ）が、上記開閉蓋（Ｃ）の後述する閉蓋方向（伏倒する方向）となり、逆に制動トルクを発生させない回転方向（Ｒ）が、同じく開閉蓋（Ｃ）の開蓋方向（起し上げ方向）となる関係状態に取り付け使用する。
【００４１】
尚、図１０、１１の符号（１８）は揺動ダンパー（Ｄ）のケース、（１９）はそのケース（１８）から内向きに張り出す一対の仕切り凸条、（１４ａ）は上記回転軸（１４）の出力軸部（可動端）、（１４ｂ）は上記取付ブラケット（Ｂ）の起立板片（１１ｂ）に対する揺動ダンパー（Ｄ）の固定端を示している。
【００４２】
（Ｓ）は左右一対のサイド支持ステーであって、図９のような一定の帯幅と作用長さ（Ｌ）を備えた細長い鋼板から成り、上記開閉蓋（Ｃ）の前後方向に沿って延在するが、その基端部（後端部）は径大な取付円板（２０）として造形されており、その取付円板（２０）の中心部が図６〜８のように上記揺動ダンパー（Ｄ）の回転軸（１４）における取付ブラケット（Ｂ）の起立板片（１１ｂ）から張り出す出力軸部（１４ａ）へ、一緒に回転し得る状態に差し込み嵌合されている。その取付円板（２０）を抜け止め状態に保つ軸用止め輪は図示省略してある。
【００４３】
但し、上記揺動ダンパー（Ｄ）には一定の余裕角度（所謂遊び角度／クリヤランス）（図例の場合約３０度）（α）が設けられており、制動トルクを発生するか否かに拘らず、その余裕角度（α）分だけは回転軸（１４）が時計方向と反時計方向への何れにも空転し、これを超えた大きな角度に到達すれば、その回転軸（１４）と上記サイド支持ステー（Ｓ）とが時計方向と反時計方向への何れにも一体回転する（連れ廻る）ようになっている。
【００４４】
そのために、上記回転軸（１４）の出力軸部（１４ａ）が図１４〜１６のような平行の扁平面を備えたほぼ楕円形の凸起として造形されている一方、これと嵌合するサイド支持ステー（Ｓ）側の軸受け口（２１）が図９のような上記余裕角度（α）を与えられた特殊輪郭形状として切り抜かれている。
【００４５】
更に言えば、開閉蓋（Ｃ）を図１の全開状態から図４のように、上記余裕角度（α）分だけ閉蓋方向（Ａ）へ伏倒する当初には、揺動ダンパー（Ｄ）の回転軸（１４）が空転して、制動トルクを発生せず、その余裕角度（α）を過ぎてから開閉蓋（Ｃ）が図５の全閉状態になるまでは、同じく揺動ダンパー（Ｄ）の回転軸（１４）が上記サイド支持ステー（Ｓ）と一緒に回転して、開閉蓋（Ｃ）の制動トルクを発生することになる。このことは蓋開閉作用の説明として、詳しく後述する。
【００４６】
尚、開閉蓋（Ｃ）を全閉状態から開蓋方向（Ｒ）へ起し上げる回動作用過程でも、その当初における回転軸（１４）だけの空転と、余裕角度（α）の経過後における回転軸（１４）とサイド支持ステー（Ｓ）との一体回転（連れ廻り）は営なまれるが、その揺動ダンパー（Ｄ）は一方向性のものとして、開蓋方向（Ｒ）へ回転する時に制動トルクを発生しないため、これ以上の説明は省略する。
【００４７】
（２２）は上記サイド支持ステー（Ｓ）における取付円板（２０）の円周面へ、図９に示すような一定の回動角度範囲（β）だけ刻設された歯、（２３）はその取付円板（２０）の歯（２２）と相俟ってラチェット機構を形作る係止爪であって、図６〜８のように上記取付ブラケット（Ｂ）の起立板片（１１ｂ）へネジ締結具（２４）によって枢着されている。
【００４８】
しかも、その係止爪（２３）と起立板片（１１ｂ）との相互間には、引張りコイルバネ（２５）が連繋掛架されており、これによって係止爪（２３）が上記取付円板（２０）の歯（２２）に常時係止する方向へ押圧付勢されている。
【００４９】
そして、上記歯（２２）の刻設された回動角度範囲（β）は図９に示す如く、開閉蓋（Ｃ）における全開状態から全閉状態までの一定な回動角度範囲（図例では約１０５度）（γ）よりも狭小（例えば約１００度）に設定されており、上記開閉蓋（Ｃ）が全開状態と全閉状態にある時、その係止爪（２３）は上記回動角度範囲（β）の言わば両端からはずれた外部位置へ臨み、上記サイド支持ステー（Ｓ）における取付円板（２０）の歯（２２）へ係止しないように設定されている。
【００５０】
又、（２６）は上記サイド支持ステー（Ｓ）における取付円板（２０）の中心部から図９のように、その円周面まで到達しない短距離を一定の回動半径（ｒ１）とする円弧運動軌跡（Ｘ１−Ｘ１）上へ、上記開閉蓋（Ｃ）における全開状態から全閉状態までの一定な回動角度範囲（図例では約１０５度）（γ）だけ、一定間隔おきでの点在分布状態に開口形成された複数（図例では合計６個）のロックピン受け入れ孔であり、後述のロックピンを受け入れやすい好ましくは楕円形に開口されている。
【００５１】
（２７）は同じくサイド支持ステー（Ｓ）における取付円板（２０）の中心部からやはり図９のように、上記取付ブラケット（Ｂ）の起立板片（１１ｂ）とオーバーラップしない長距離を一定の回動半径（ｒ２）とする円弧形状として、そのサイド支持ステー（Ｓ）の基端部（後端部）へ片寄った途中に張り出し形成されたピン受け入れ板片であり、その一定の回動半径（ｒ２）を保つ円弧運動軌跡（Ｘ２−Ｘ２）上には、後述する荷重支持バネの張力調整用となる複数（図例では合計７個）のネジ孔（２８）が開口分布されている。その複数から択一したネジ孔（２８）へ内側からバネ受けピン（２９）を抜き差し自在にねじ込み使用することによって、荷重支持バネ（キックバネ／蔓巻きコイルバネ）の張力（バネ圧）を強弱調整することができるようになっている。
【００５２】
上記サイド支持ステー（Ｓ）の先端部（前端部）からは図１〜３のように、水平なローラー支軸（３０）が外向き一体的に張り出されており、これに遊転ローラー（コロ）（３１）が嵌合されている。遊転ローラー（３１）は硬質な合成樹脂（好ましくは商品名：ジュラコン）から成り、後述の走行ガイドレールと係合しながら転動する。
【００５３】
（Ｇ）は上記外枠（Ｆ）の真下位置を前後方向に沿って延在する左右一対の平行な走行ガイドレールであって、図１〜３や図１２、１３のようなリップ（３２）付きのチャンネル溝形に押出成形されたアルミ材やリップ（３２）付きのチャンネル溝形鋼材から成り、その溝底となる背壁面（３３）が複数の皿ビス（３４）によって、床組み構造材（根太）（５）に取り付け固定されている。その結果、正面が上記点検口（Ｏ）の内側に向かって（横向きに）開口した列設状態にある。
【００５４】
そして、上記サイド支持ステー（Ｓ）の先端部（前端部）に軸支されている遊転ローラー（３１）が、その走行ガイドレール（Ｇ）のリップ（３２）と係合しながら前後方向へ転動するようになっている。
【００５５】
つまり、上記開閉蓋（Ｃ）が第１支点軸（Ｐ１）を中心として伏倒方向（Ａ）へ回動される閉蓋時には、第２支点軸（Ｐ２）を中心として同じく伏倒方向へ追従回動するサイド支持ステー（Ｓ）を介して、遊転ローラー（３１）が図１から図４を経て図５のように、その走行ガイドレール（Ｇ）を前方へ転動する。
【００５６】
他方、開閉蓋（Ｃ）がやはり第１支点軸（Ｐ１）を中心として起し上げ方向（Ｒ）へ回動される開蓋時には、第２支点軸（Ｐ２）を中心として同じく起し上げ方向へ追従回動するサイド支持ステー（Ｓ）を介して、遊転ローラー（３１）が逆に図５から図１のように、その走行ガイドレール（Ｇ）を後方へ転動することになる。
【００５７】
（３５）はその走行ガイドレール（Ｇ）の少なくとも開口後端部を閉塞するストッパーであって、アングル形鋼板から成り、その座板片（３５ａ）が上記走行ガイドレール（Ｇ）の背壁面（３３）へ、図１２、１３のように複数の皿ビス（３６）によって取り付け固定されていると共に、残る起立板片（３５ｂ）によって上記遊転ローラー（３１）を受け止め、脱輪しないようになっている。
【００５８】
更に、（３７）は上記サイド支持ステー用取付ブラケット（Ｂ）に軸架された水平な揺動ダンパー（Ｄ）を言わば巻き付け芯として、その円周面に各々巻き付けられた荷重支持バネ（キックバネ／蔓巻きコイルバネ）であり、図６〜８に示す如く、その揺動ダンパー（Ｄ）の円周面から比較的長く張り出す一端部（３７ａ）が、上記サイド支持ステー（Ｓ）における円弧形ピン受け板片（２７）のネジ孔（２８）から内向き突出するバネ受けピン（２９）に係止されている一方、同じく揺動ダンパー（Ｄ）の円周面から比較的短く張り出す他端部（３７ｂ）が、次のような水平の回動ロックピン（Ｋ）へ係止されることによって、上記開閉蓋（Ｃ）を常時起し上げる回動方向（開蓋方向）（Ｒ）へ弾圧付勢している。
【００５９】
回動ロックピン（Ｋ）は図６〜８や図１８、１９から明白なように、上記サイド支持ステー用取付ブラケット（Ｂ）の向かい合う平行な起立板片（１１ｂ）へ、揺動ダンパー（Ｄ）と軸線同士の平行する横断状態に設置されており、その内側の起立板片（１１ｂ）から外側の起立板片（１１ｂ）を貫通して、上記サイド支持ステー（Ｓ）の取付円板（２０）に開口分布するロックピン受け入れ孔（２６）へ、抜き差し自在（進退自在）に差し込まれるようになっている。
【００６０】
つまり、上記取付ブラケット（Ｂ）における内側の起立板片（１１ｂ）には径大なピン挿通孔（３８）と、同じく外側の起立板片（１１ｂ）には径小なピン挿通孔（３９）とが向かい合う状態に各々対応形成されており、回動ロックピン（Ｋ）の比較的太い頭部をその径大なピン挿通孔（３８）によって、同じく比較的細い先端部をその径小なピン挿通孔（３９）によって各々軸受けしている。
【００６１】
（４０）は回動ロックピン（Ｋ）における上記内側の起立板片（１１ｂ）へ片寄った途中を支持するための軸受け板片であり、上記サイド支持ステー用取付ブラケット（Ｂ）のフラットな座板片（１１ａ）から起立板片（１１ｂ）と同じ方向（裏向き）へ一体的に突設されている。
【００６２】
しかも、その回動ロックピン（Ｋ）が上記取付ブラケット（Ｂ）における内側の起立板片（１１ｂ）と軸受け板片（４０）との相互間へ臨む（介在する）ことになる首部には、図１９のようなバネ受け凹周溝（４１）が切り欠かれており、上記荷重支持バネ（３７）の比較的短かい切り離し他端部（３７ｂ）がそのバネ受け凹周溝（４１）の内部へ係止されることによって、回動ロックピン（Ｋ）をその先端部が上記サイド支持ステー（Ｓ）側のロックピン受け入れ孔（２６）から抜け出した退避状態に保持している。
【００６３】
又、そのバネ受け凹周溝（４１）を付与された首部と、上記比較的細い先端部との相互間は、比較的太い頭部と同じ太さの中間部として造形されており、ここには回動ロックピン（Ｋ）をサイド支持ステー（Ｓ）側のロックピン受け入れ孔（２６）へ常時差し込む方向（外方）（Ｚ）に押圧付勢するための圧縮コイルバネ（４２）が巻き付けられている。（４３）はその回動ロックピン（Ｋ）の中間部に嵌合されたバネ受け座金であり、上記軸受け板片（４０）と向かい合っている。そのバネ受け座金（４３）を位置決め調整するための軸用止め輪は図示省略してある。
【００６４】
そして、上記荷重支持バネ（３７）が経年的な使用中に万一折損したり、或いはその切り離し一端部（３７ａ）がサイド支持ステー（Ｓ）側のバネ受けピン（２９）から離脱したりした場合には、図１８、１９に示す如く、同じく荷重支持バネ（３７）の切り離し他端部（３７ｂ）が言わばフリーな状態となって、上記回動ロックピン（Ｋ）側のバネ受け凹周溝（４１）から浮き上がる如く離脱するため、その上記圧縮コイルバネ（４２）の押圧付勢力を受けている回動ロックピン（Ｋ）は、その先端部からサイド支持ステー（Ｓ）側のロックピン受け入れ孔（２６）へ自づと差し込み係止されることとなり、そのサイド支持ステー（Ｓ）を回動不能にロックするのである。
【００６５】
但し、図示の実施形態では上記荷重支持バネ（３７）の比較的短かい切り離し他端部（３７ｂ）を、サイド支持ステー（Ｓ）側のロックピン受け入れ孔（２６）へ抜き差し自在に差し込まれる特殊な長い回動ロックピン（Ｋ）の首部において受け止めているが、その回動ロックピン（Ｋ）に代る単純な短かいバネ受けピン（図示省略）を、上記サイド支持ステー用取付ブラケット（Ｂ）における向かい合う起立板片（１１ｂ）の内外相互間や、その内側の起立板片（１１ｂ）と軸受け板片（４０）との相互間へ固定横架させて、その固定部材である上記取付ブラケット（Ｂ）側のバネ受けピンへ荷重支持バネ（３７）の切り離し他端部（３７ｂ）を係止させると共に、可動部材である上記サイド支持ステー（Ｓ）側のバネ受けピン（２９）へ図示実施形態と同様にして、荷重支持バネ（３７）の切り離し一端部（３７ａ）を係止させても良い。
【００６６】
本発明に係る上記実施形態の蓋開閉作用を説明すると、図１、２は開閉蓋（Ｃ）の全開状態を示しており、その開閉蓋（Ｃ）が第１支点軸（Ｐ１）を中心として、床板（１）の平面から一定の回動角度（開度）（γ）（図例では約１０５度）だけ起し上げられた状態にある。
【００６７】
その場合、開閉蓋（Ｃ）に追従して、第２支点軸（Ｐ２）の廻りに起し上げられたサイド支持ステー（Ｓ）側の遊転ローラー（３１）が、その走行ガイドレール（Ｇ）側のストッパー（３５）に受け止められて、後方へ脱輪しないようになっているため、上記開閉蓋（Ｃ）の全開状態は安定良く保持される。
【００６８】
次に、図４は上記開閉蓋（Ｃ）を図１、２の全開状態から荷重支持バネ（３７）の付勢力に抗しつつ閉蓋方向（Ａ）へ、揺動ダンパー（Ｄ）の余裕角度（遊び角度）（α）（図例では約３０度）分だけ伏倒させた中途過程として、その未だ一定の回動角度（θ）（図例では約７５度）だけ開放した状態（但し、この状態で止まることはない）を示しているが、揺動ダンパー（Ｄ）の余裕角度（α）分だけ閉蓋方向（Ａ）へ伏倒する当初には、図１４と図１５との対比から示唆されるように、その揺動ダンパー（Ｄ）の回転軸（１４）が空転して、制動トルクを発生しないため、その間には荷重支持バネ（３７）の張力だけが、開閉蓋（Ｃ）に作用すると言える。
【００６９】
そして、図４の中途過程から図５の全閉状態へ、上記開閉蓋（Ｃ）を引き続き伏倒させて行くと、図１５と図１６との対比からから示唆されるように、揺動ダンパー（Ｄ）の回転軸（１４）とサイド支持ステー（Ｓ）とは一体回転し（連れ廻り）、その揺動ダンパー（Ｄ）から発生する制動トルクが開閉蓋（Ｃ）に作用することとなる。
【００７０】
その場合、開閉蓋（Ｃ）は上記中途過程での一定な回動角度（θ）にある傾斜姿勢から、その回動角度（開度）の言わば零となる水平姿勢の全閉状態へ徐々に変化するに連れて、その荷重も変化して、徐々に大きくなるが、上記揺動ダンパー（Ｄ）の制動トルクは一定であるため、開閉蓋（Ｃ）が全閉状態へ回動進行する程、その開閉蓋（Ｃ）の荷重に対抗する揺動ダンパー（Ｄ）の制動トルクは相対的に弱まる結果となる。
【００７１】
この点、本発明の上記実施形態では揺動ダンパー（Ｄ）に巻き付けられた荷重支持バネ（３７）が、開閉蓋（Ｃ）を常時起し上げる回動方向（開蓋方向）（Ｒ）へ弾圧付勢しており、そのバネ圧（張力）は開閉蓋（Ｃ）の全閉状態へ回動進行する程、相対的に強く働くことになるため、これによって揺動ダンパー（Ｄ）の働きを補完することができ、その荷重支持バネ（３７）と揺動ダンパー（Ｄ）との協働作用により、開閉蓋（Ｃ）の荷重をその傾斜角度（開度）の変化に拘らず、言わば常時ほぼ一定に平準化して、上記開閉蓋（Ｃ）を図１の全開状態から図５の全閉状態まで、全体として均一な回動速度のもとにゆっくり伏倒させることができるようになっている。
【００７２】
尚、上記開閉蓋（Ｃ）を図１の全開状態から図５の全閉状態へ伏倒させて行く過程では、サイド支持ステー（Ｓ）が開閉蓋（Ｃ）の荷重を受けているため、その取付ブラケット（Ｂ）側の係止爪（２３）は図１５に示唆する如く、サイド支持ステー（Ｓ）の取付円板（２０）に刻設されている歯（２２）から浮上する状態に保たれることとなり、その歯（２２）に係止することはない。
【００７３】
逆に、図５のような開閉蓋（Ｃ）の全閉状態から、その開閉蓋（Ｃ）の回動把手（９）を持って起し上げることにより、図１のような全開状態を得られるが、その過程では荷重支持バネ（３７）の張力が作用中にあるため、これによって開閉蓋（Ｃ）を軽快に持ち上げることができ、又上記取付ブラケット（Ｂ）側の係止爪（２３）はサイド支持ステー（Ｓ）側の歯（２２）から浮上する状態にあり、その歯（２２）に係止しないので、開閉蓋（Ｃ）は円滑に開蓋方向（Ｒ）へ回動する。
【００７４】
そして、その開蓋方向（Ｒ）への起し上げ中途過程において、万一操作手を放した場合には、上記サイド支持ステー（Ｓ）の取付円板（２０）に刻設された歯（２２）と、その取付ブラケット（Ｂ）側の係止爪（２３）とが図１７のように係止し、その状態は開閉蓋（Ｃ）の荷重を受けて強化されることになるため、その開閉蓋（Ｃ）が全閉状態まで急激に落下して、衝撃音を発生したり、操作手を負傷したりするおそれはない。
【００７５】
上記開閉蓋（Ｃ）を全開状態から全閉状態へ伏倒させ、又その逆に全閉状態から全開状態へ引き起す何れにあっても、その使用中揺動ダンパー（Ｄ）に巻き付けられた荷重支持バネ（３７）の切り離し一端部（３７ａ）はサイド支持ステー（Ｓ）側のバネ受けピン（２９）に係止されていると共に、同じく荷重支持バネ（３７）の切り離し他端部（３７ｂ）は回動ロックピン（Ｋ）側のバネ受け凹周溝（４１）に係止されており、その回動ロックピン（Ｋ）が図６〜８に示すように、上記サイド支持ステー（Ｓ）側のロックピン受け入れ孔（２６）から抜き出された退避状態に保たれているため、そのサイド支持ステー（Ｓ）は上記揺動ダンパー（Ｄ）の回転軸（１４）と一体回転し得る。
【００７６】
ところが、経年的な使用中に上記荷重支持バネ（３７）が万一折損したり、或いはその切り離し一端部（３７ａ）が上記バネ受けピン（２９）から離脱したりする事故を生じた場合には、その荷重支持バネ（３７）における切り離し他端部（３７ｂ）との係止を解除された回動ロックピン（Ｋ）が、図１８、１９に示すようにその事故を生じた時点での対応位置するサイド支持ステー（Ｓ）側のロックピン受け入れ孔（２６）へ、自づと差し込み係止されることになり、そのサイド支持ステー（Ｓ）と延いては揺動ダンパー（Ｄ）並びに開閉蓋（Ｃ）の回動をロックするため、使用上の危険がなく、上記荷重支持バネ（３７）の交換や必要な再組立などを行うことにより、支障なく使用継続することができる。
【００７７】
先には図１〜１９に基いて、床下点検口の開閉蓋に適用した本発明の実施形態を説明したが、その床下点検口用のみならず、床下収納庫用の開閉蓋についても本発明を適用することができる。
【００７８】
即ち、図２０、２１は２連式（但し、１個だけ図示している）としてスライドされる床下収納庫に適用した本発明の別な実施形態を示しており、その床下収納庫本体（４５）の方形な開口が上記開閉蓋（Ｃ）によって開閉されるようになっている。その蓋開閉機構としての構成や開閉作用は、図１〜１９の上記実施形態と実質的に同一であるため、図２０、２１に図１〜１９との同一符号を記入するにとどめて、その詳細な説明を省略する。
【００７９】
スライド式の床下収納庫では図２０、２１のように、その床下収納庫本体（４５）の開口上縁部（４６）に左右一対づつ（合計４個）のハンガーブラケット（４７）が付属一体化されている。そのハンガーブラケット（４７）はほぼ倒立Ｕ字形の金属板から成り、その溝内に各々軸支された滑車（４８）が、左右一対の平行なハンガーレール（４９）上を転がり、そのハンガーレール（４９）に沿って前後方向へ移動するようになっている。
【００８０】
上記滑車（４８）のハンガーレール（４９）は、図１〜１９に基いて説明した遊転ローラー（コロ）（３１）の走行ガイドレール（Ｇ）よりも下方位置にあり、別な床組み構造材（大引）（５０）へ溶接やその他の固定手段によって取り付け固定されている。
【００８１】
本発明の蓋開閉機構では、上記遊転ローラー（３１）の走行ガイドレール（Ｇ）が床組み構造材（根太）（５）に取り付け固定されるようになっている構成であるため、上記外枠（Ｆ）に枢着される開閉蓋（Ｃ）と、床下収納庫本体（４５）の開口上縁部（４６）との左右相互間隙や、外枠（Ｆ）と床下収納庫本体（４５）との左右相互間隙が狭小であっても、その間隙へ支障なく内蔵設置することができる。
【００８２】
更に言えば、上記遊転ローラー（３１）の走行ガイドレール（Ｇ）が床組み構造材（根太）（５）へ取り付け固定されるようになっている構成の場合、本発明の蓋開閉機構を既設の建物へ容易に後付け使用できる利点がある。
【００８３】
但し、上記遊転ローラー（３１）の走行ガイドレール（Ｇ）を既設の床組み構造材（根太）（５）へ取り付け固定する代りに、外枠（Ｆ）の延長された下端部へ取り付け固定しても良く、又図２２に示す如く外枠（Ｆ）を、その下端部に上記遊転ローラー（３１）の走行ガイドレール（Ｇ）が付属する連続一体品として、アルミ材から押出成形すると共に、その走行ガイドレール（Ｇ）付きの外枠（Ｆ）を床板（１）又は／及び床組み構造材（根太）（５）へ、複数の点在分布する皿ビス（３４）（５１）や接着剤などによって取り付け固定しても良い。これによれば、新設の建物に対する施工性や量産効果などの向上に役立つ。
【００８４】
尚、上記遊転ローラー（３１）の走行ガイドレール（Ｇ）としても図示実施形態のようなリップ（３２）付きのチャンネル溝形に作成されたものだけに限らず、その遊転ローラー（３１）を前後方向へ直線的に移動させることができるならば、エ字形やその他の非チャンネル溝形の走行ガイドレール（Ｇ）としてもさしつかえない。
【符号の説明】
【００８５】
（１）・床板
（２）・囲い立壁
（５）・床組み構造材（根太）
（７）・蓋枠
（８）・蝶番
（９）・回動把手
（１１）・アングル形鋼板
（１１ａ）・座板片
（１１ｂ）・起立板片
（１４）・回転軸
（１４ａ）・出力軸部
（１５）・作動室
（１６）・弁体
（１７）・閉止面
（１８）・ケース
（１９）・仕切り凸条
（２０）・取付円板
（２１）・軸受け口
（２２）・歯
（２３）・係止爪
（２５）・引張りコイルバネ
（２６）・ロックピン受け入れ孔
（２７）・ピン受け入れ板片
（２８）・ネジ孔
（２９）・バネ受けピン
（３０）・ローラー支軸
（３１）・遊転ローラー
（３５）・ストッパー
（３７）・荷重支持バネ
（３７ａ）・切り離し一端部
（３７ｂ）・切り離し他端部
（３８）（３９）・ピン挿通孔
（４０）・軸受け板片
（４１）・バネ受け凹周溝
（４２）・圧縮コイルバネ
（４３）・バネ受け座金
（４５）・床下収納庫本体
（４６）・開口上縁部
（４７）・ハンガーブラケット
（４８）・滑車
（４９）・ハンガーレール
（５０）・床組み構造材（大引）
（Ａ）・閉蓋方向
（Ｂ）・取付ブラケット
（Ｃ）・開閉蓋
（Ｄ）・揺動ダンパー
（Ｆ）・外枠
（Ｇ）・走行ガイドレール
（Ｋ）・回動ロックピン
（Ｏ）・点検口
（Ｒ）・開蓋方向
（Ｓ）・サイド支持ステー
（Ｐ１）・第１支点軸
（Ｐ２）・第２支点軸
（α）・余裕角度（遊び角度）
（β）（γ）（θ）・回動角度範囲
（Ｘ１−Ｘ１）（Ｘ２−Ｘ２）・円弧運動軌跡
【図１】
2017057669.tif 000003
【図２】
2017057669.tif 000004
【図３】
2017057669.tif 000005
【図４】
2017057669.tif 000006
【図５】
2017057669.tif 000007
【図６】
2017057669.tif 000008
【図７】
2017057669.tif 000009
【図８】
2017057669.tif 000010
【図９】
2017057669.tif 000011
【図１０】
2017057669.tif 000012
【図１１】
2017057669.tif 000013
【図１２】
2017057669.tif 000014
【図１３】
2017057669.tif 000015
【図１４】
2017057669.tif 000016
【図１５】
2017057669.tif 000017
【図１６】
2017057669.tif 000018
【図１７】
2017057669.tif 000019
【図１８】
2017057669.tif 000020
【図１９】
2017057669.tif 000021
【図２０】
2017057669.tif 000022
【図２１】
2017057669.tif 000023
【図２２】
2017057669.tif 000024
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
床下点検口又は床下収納庫本体の開口を区画する額縁形態の外枠へ、水平な第１支点軸を介して起伏的な回動自在に枢着された開閉蓋と、
上記開閉蓋の中途部へ裏側から各々固定された左右一対のサイド支持ステー用取付ブラケットと、
その取付ブラケットへ各々水平な第２支点軸を介して、基端部が回動自在に枢着された左右一対のサイド支持ステーと、
上記開閉蓋を常時起し上げ開蓋する回動方向へ弾圧付勢すべく、上記サイド支持ステーの第２支点軸に各々巻き付けられた左右一対の荷重支持バネと、
上記サイド支持ステーの先端部へ各々軸支された左右一対の遊転ローラーと、
その遊転ローラーを前後方向へ移動させるべく、上記外枠又は床組み構造材への固定状態に列設された左右一対の平行な走行ガイドレールとを備えた床下点検口用又は床下収納庫用の蓋開閉機構において、
上記荷重支持バネの巻き付け芯になる第２支点軸を上記開閉蓋のサイド支持ステーと一体回転し得る揺動ダンパーとして、その揺動ダンパーから閉蓋方向の制動トルクを発生させ、
上記第１支点軸を中心として伏倒する閉蓋方向へ回動進行する程、大きくなる開閉蓋の荷重との相対的に弱くなる上記揺動ダンパーの制動トルクを、逆に相対的に強くなる上記荷重支持バネの張力により補完して、
上記開閉蓋を全閉状態までの全体としてほぼ均一な回動速度のもとに伏倒させるようにすると共に、
上記荷重支持バネの張力を強弱調整できるように定めたことを特徴とする床下点検口用又は床下収納庫用の蓋開閉機構。
【請求項２】
左右一対のサイド支持ステー用取付ブラケットに軸架された水平な揺動ダンパーの出力軸部へ、サイド支持ステーの基端部に造形された取付円板の中心部を、各々一体回動し得るように差し込み嵌合させると共に、
その取付円板の円周面へ一定な回動角度範囲分だけ歯を刻設する一方、
開閉蓋をその全閉状態から全開状態へ起し上げて行く途中過程において、その開閉蓋の操作手を放した時だけ上記歯に係止する係止爪を上記取付ブラケットへ、常時歯と係止する方向への弾圧付勢状態に枢着したことを特徴とする請求項１記載の床下点検口用又は床下収納庫用の蓋開閉機構。
【請求項３】
荷重支持バネにおける張力の強弱調整用となる複数のネジ孔を、サイド支持ステーの中途部に造形された円弧形ピン受け入れ板片の円弧運動軌跡に沿って、開口分布させると共に、
そのピン受け入れ板片のネジ孔へ択一的にねじ込み設置された水平なバネ受けピンへ、上記荷重支持バネの比較的長い切り離し一端部を係止させる一方、
サイド支持ステー用取付ブラケットに揺動ダンパーと軸線同士が平行する状態として固定横架された水平なバネ受けピンへ、同じく荷重支持バネの比較的短かい切り離し他端部を係止させたことを特徴とする請求項１記載の床下点検口用又は床下収納庫用の蓋開閉機構。
【請求項４】
サイド支持ステー用取付ブラケットに軸架された水平な揺動ダンパーの出力軸部へ、サイド支持ステーの基端部に造形された取付円板の中心部を、各々一体回動し得るように差し込み嵌合させ、
その取付円板の円弧運動軌跡に沿って、複数のロックピン受け入れ孔を開口分布させると共に、
荷重支持バネの比較的短かい切り離し他端部を係止するための水平なバネ受けピンを、その首部にバネ受け凹周溝が切り欠かれた長い回動ロックピンとして上記サイド支持ステー用取付ブラケットへ、その先端部が常時上記取付円板のロックピン受け入れ孔まで差し込み係止される方向への弾圧付勢状態として、抜き差し自在又は進退自在に通し込み設置したことを特徴とする請求項３記載の床下点検口用又は床下収納庫用の蓋開閉機構。
【手続補正２】
【補正対象書類名】明細書
【補正対象項目名】全文
【補正方法】変更
【補正の内容】
【発明の詳細な説明】
【技術分野】
【０００１】
本発明は建物の床面に開口する床下点検口や床下収納庫の蓋開閉機構に関する。
【背景技術】
【０００２】
本発明の出願人は床下点検口用又は床下収納庫用の蓋開閉機構について、既に特許第５３７７６８７号を取得しており、その実施事業を行っている。
【０００３】
これはその特許公報（特許文献１）に記載のとおり、開閉蓋（Ｃ）におけるサイド支持ステー（１３）の第２支点軸（Ｐ２）に巻き付けられた荷重支持バネ（キックバネ／蔓巻きコイルバネ）（１５）と、スライドガイドレール（Ｇ）に取り付けられた閉蓋用の伸縮性突っ張りストッパー（圧縮コイルバネ）（２７）とを備え、開閉蓋（Ｃ）を図１の全開状態から伏倒してゆく回動作用過程において、上記第２支点軸（Ｐ２）が図６のような第１支点軸（Ｐ１）と第３支点軸（Ｐ３）とを結ぶ一直線上の思案点（Ｙ−Ｙ）に位置した時、上記突っ張りストッパー（２７）を最も短く圧縮し、引き続き第２支点軸（Ｐ２）が上記思案点（Ｙ−Ｙ）を越えて下方へ伏倒した図７のような全閉時に、その開閉蓋（Ｃ）の全閉状態を上記突っ張りストッパー（２７）の復元張力によって自動ロックするようになっている。
【先行技術文献】
【特許文献】
【０００４】
【特許文献１】特許第５３７７６８７号公報
【発明の概要】
【発明が解決しようとする課題】
【０００５】
ところが、上記特許文献１に開示の構成では第２支点軸（Ｐ２）が思案点（Ｙ−Ｙ）に到達するまでの間、開閉蓋（Ｃ）は比較的速く回動作用し、その思案点（Ｙ−Ｙ）に到達するや一旦停止することとなり、更に開閉蓋（Ｃ）を下方へ伏倒させる必要があるため、全体としてほぼ均一な速度での円滑・無段階に全閉させることができず、その閉蓋操作上未だ煩らわしく不便であるほか、図６のような思案点（Ｙ−Ｙ）に到達する直前において、開閉蓋（Ｃ）の左右両サイド部と点検口（Ｏ）の開口縁部との相互間で、操作手や衣服の袖などを詰めるおそれがある。
【０００６】
又、開閉蓋（Ｃ）自身の荷重（質量）と荷重支持バネ（１５）の張力と伸縮性突っ張りストッパー（２７）の張力とを、その全体的な均衡状態に保つこと（調整）は至難の業である。
【０００７】
まして、上記突っ張りストッパー（２７）の設置を省略し、荷重支持バネ（１５）の張力だけで開閉蓋（Ｃ）の荷重に対抗しながら、その開閉蓋（Ｃ）を静粛・円滑に安定良く全閉させることは、そのバネ圧（張力）が使用される程弱くなることや開閉蓋（Ｃ）の荷重が傾斜角度（開度）に応じて変化することなどを考慮しないとしても、到底不可能である。
【０００８】
この点、上記荷重支持バネ（１５）の使用に代えて、特開２０１４−２２４５８２号や特開２００９−９２０８６号などに見られるような一方向（開閉蓋の閉蓋方向）だけに制動トルク（負荷）が発生する固定式の揺動ダンパーを使用することも考えられるが、その揺動ダンパーだけでは上記開閉蓋（Ｃ）の荷重が傾斜角度（開度）に応じて変化し、全閉方向へ伏倒する程大きくなるに比して、揺動ダンパーの制動トルクは一定であるため、その制動トルクの強い揺動ダンパーを使用すると、開閉蓋の全閉状態を得ることができず、逆に制動トルクの弱い揺動ダンパーを使用すると、開閉蓋が高速での勢いよく伏倒して、衝撃音を発すると共に甚だ危険である。
【０００９】
更に言えば、上記揺動ダンパーにはその構造上約２０〜３０度の余裕角度（所謂遊び角度／クリヤランス）が必らず設けられているため、上記開閉蓋を全閉状態から全開状態へ起し上げて行く途中において、その操作手を万一放した場合、開閉蓋が即座に落下してしまう危険がある。
【課題を解決するための手段】
【００１０】
本発明はこのような諸問題の抜本的な解決を目的としており、その目的を達成するために、請求項１では床下点検口又は床下収納庫本体の開口を区画する額縁形態の外枠へ、水平な第１支点軸を介して起伏的な回動自在に枢着された開閉蓋と、
【００１１】
上記開閉蓋の中途部へ裏側から各々固定された左右一対のサイド支持ステー用取付ブラケットと、
【００１２】
その取付ブラケットへ各々水平な第２支点軸を介して、基端部が回動自在に枢着された左右一対のサイド支持ステーと、
【００１３】
上記開閉蓋を常時起し上げ開蓋する回動方向へ弾圧付勢すべく、上記サイド支持ステーの第２支点軸に各々巻き付けられた左右一対の荷重支持バネと、
【００１４】
上記サイド支持ステーの先端部へ各々軸支された左右一対の遊転ローラーと、
【００１５】
その遊転ローラーを前後方向へ移動させるべく、上記外枠又は床組み構造材への固定状態に列設された左右一対の平行な走行ガイドレールとを備えた床下点検口用又は床下収納庫用の蓋開閉機構において、
【００１６】
上記荷重支持バネの巻き付け芯になる第２支点軸を上記開閉蓋のサイド支持ステーと一体回転し得る揺動ダンパーとして、その揺動ダンパーから閉蓋方向の制動トルクを発生させ、
【００１７】
上記第１支点軸を中心として伏倒する閉蓋方向へ回動進行する程、大きくなる開閉蓋の荷重との相対的に弱くなる上記揺動ダンパーの制動トルクを、逆に相対的に強くなる上記荷重支持バネの張力により補完して、
【００１８】
上記開閉蓋を全閉状態までの全体としてほぼ均一な回動速度のもとに伏倒させるようにすると共に、
【００１９】
上記荷重支持バネの張力を強弱調整できるように定めたことを特徴とする。
【００２０】
又、請求項２では左右一対のサイド支持ステー用取付ブラケットに軸架された水平な揺動ダンパーの出力軸部へ、サイド支持ステーの基端部に造形された取付円板の中心部を、各々一体回動し得るように差し込み嵌合させると共に、
【００２１】
その取付円板の円周面へ一定な回動角度範囲分だけ歯を刻設する一方、
【００２２】
開閉蓋をその全閉状態から全開状態へ起し上げて行く途中過程において、その開閉蓋の操作手を放した時だけ上記歯に係止する係止爪を上記取付ブラケットへ、常時歯と係止する方向への弾圧付勢状態に枢着したことを特徴とする。
【００２３】
請求項３では荷重支持バネにおける張力の強弱調整用となる複数のネジ孔を、サイド支持ステーの中途部に造形された円弧形ピン受け入れ板片の円弧運動軌跡に沿って、開口分布させると共に、
【００２４】
そのピン受け入れ板片のネジ孔へ択一的にねじ込み設置された水平なバネ受けピンへ、上記荷重支持バネの比較的長い切り離し一端部を係止させる一方、
【００２５】
サイド支持ステー用取付ブラケットに揺動ダンパーと軸線同士が平行する状態として固定横架された水平なバネ受けピンへ、同じく荷重支持バネの比較的短かい切り離し他端部を係止させたことを特徴とする。
【００２６】
更に、請求項４ではサイド支持ステー用取付ブラケットに軸架された水平な揺動ダンパーの出力軸部へ、サイド支持ステーの基端部に造形された取付円板の中心部を、各々一体回動し得るように差し込み嵌合させ、
【００２７】
その取付円板の円弧運動軌跡に沿って、複数のロックピン受け入れ孔を開口分布させると共に、
【００２８】
荷重支持バネの比較的短かい切り離し他端部を係止するための水平なバネ受けピンを、その首部にバネ受け凹周溝が切り欠かれた長い回動ロックピンとして上記サイド支持ステー用取付ブラケットへ、その先端部が常時上記取付円板のロックピン受け入れ孔まで差し込み係止される方向への弾圧付勢状態として、抜き差し自在又は進退自在に通し込み設置したことを特徴とする。
【発明の効果】
【００２９】
請求項１の構成によれば、冒頭に述べた従来技術の諸問題を完全に解決することができ、安全性と静粛性並びに使用上の利便性に優れた床下点検口用又は床下収納庫用の蓋開閉機構を得られる効果がある。
【００３０】
即ち、第１支点軸を中心として起伏的に回動作用する開閉蓋の荷重は、その回動角度（傾斜角度／開度）によって変化し、その伏倒する閉蓋方向へ進行する程大きくなるところ、揺動ダンパーから発生する制動トルク（負荷）は一定であるため、その揺動ダンパーだけでは上記開閉蓋における閉蓋方向への荷重に対抗できず、その閉蓋方向へ進行する程制動トルクが相対的に弱まることになる。
【００３１】
この点、請求項１の上記構成ではその揺動ダンパーの周囲に開閉蓋の荷重支持バネ（キックバネ／蔓巻きコイルバネ）が巻き付けられており、これは開閉蓋を常時起し上げ開蓋する方向へ押圧付勢しているため、その開閉蓋が閉蓋方向へ進行する程相対的に強くなるバネ圧（張力）によって、上記制動トルクの弱小化を補完することができ、その荷重支持バネと上記揺動ダンパーとが相俟って、上記開閉蓋の荷重をその回動角度の変化に拘らず、常時ほぼ均一に平準化し、開閉蓋を全閉状態までほぼ一定な回動速度のもとに、無段階での円滑に伏倒させることができるのである。
【００３２】
特に、請求項２の構成を採用するならば、上記揺動ダンパーに構造上の余裕角度（所謂遊び角度／クリヤランス）があることに基き、開閉蓋がその全閉状態から全開状態へ起し上げ操作される中途過程において、その操作手の不慮な解放により即刻下方へ伏倒してしまう危険性があるところ、これをその時だけ働く歯と係止爪との係止作用によって予防できる効果があり、安全性の向上に役立つ。
【００３３】
又、請求項３の構成を採用するならば、上記揺動ダンパーを巻き付け芯として巻き付けられた荷重支持バネの比較的長い切り離し一端部を、可動部材であるサイド支持ステーの中途部から内向きに突出するバネ受けピンへ係止させる一方、同じく荷重支持バネの比較的短かい切り離し他端部を、固定部材の取付ブラケット側に固定横架されたバネ受けピンへ係止させることにより、その取付ブラケットに揺動ダンパーと開閉蓋のサイド支持ステーとが、一体回動し得るように組み付けられていることとも相俟って、著しく合理的な納まり状態に仕上げることができる。
【００３４】
しかも、その場合上記可動部材であるサイド支持ステー側のバネ受けピンは、そのサイド支持ステーの中途部をなす円弧形ピン受け入れ板片の円弧運動軌跡に沿って開口分布された複数のネジ孔へ、択一的にねじ込み設置されるようになっているため、そのねじ込み時の差し替えによって、荷重支持バネの張力を強弱調整することができる。
【００３５】
更に、請求項４の構成を採用するならば、上記固定部材である取付ブラケット側のバネ受けピンを、特殊なバネ受け凹周溝が首部に切り欠かれた長い回動ロックピンとして、その回動ロックピンの先端部を取付ブラケットから上記サイド支持ステー側のロックピン受け入れ孔へ、自づと差し込み係止できるように定めることにより、上記荷重支持バネが使用中に万一折損したり、その長い切り離し一端部が可動部材であるサイド支持ステー側のバネ受けピンから離脱したりしても、上記サイド支持ステーと延いては揺動ダンパー並びに開閉蓋の回動を確実にロックすることができ、安全性が向上する。
【図面の簡単な説明】
【００３６】
【図１】本発明の床下点検口に適用実施した開閉蓋の全開状態を示す側面図である。
【図２】図１の正面図である。
【図３】走行ガイドレールに対する遊転ローラーの係合状態を示す部分拡大断面図である。
【図４】図１から開閉蓋を伏倒する中途過程の側面図である。
【図５】図４に続く開閉蓋の全閉状態を示す側面図である。
【図６】開閉蓋とそのサイド支持ステーとの取付部分を抽出して示す拡大側面図である。
【図７】図６の正面図である。
【図８】図６の平面図である。
【図９】サイド支持ステーを抽出して示す拡大側面図である。
【図１０】揺動ダンパーにおける制動トルクの発生作用状態を示す拡大断面図である。
【図１１】同じく揺動ダンパーにおける制動トルクの非発生作用状態を示す拡大断面図である。
【図１２】遊転ローラーの走行ガイドレールを抽出して示す側面図である。
【図１３】図１２の平面図である。
【図１４】図１の部分拡大側面図である。
【図１５】図４の部分拡大側面図である。
【図１６】図５の部分拡大側面面である。
【図１７】図１６から開閉蓋を起し上げる中途過程での歯に対する係止爪の係止状態を示す拡大側面図である。
【図１８】開閉蓋のサイド支持ステーに対する回動ロックピンの差し込み係止状態を示す図６に対応する拡大側面図である。
【図１９】図１８の１９−１９線断面図である。
【図２０】本発明の床下収納庫に適用実施した開閉蓋の全開状態を示す図１に対応する側面図である。
【図２１】図２０の正面図であって、図２と対応する。
【図２２】外枠と走行ガイドレールとの一体成形品を取付使用状態において示す拡大断面図である。
【発明を実施するための形態】
【００３７】
以下、図面に基いて本発明の具体的構成を詳述すると、図１〜１９はその床下点検口の開閉蓋に適用した本発明の実施形態を示しており、（Ｆ）は床板（１）の方形な切り欠き開口部（点検口）（Ｏ）と対応する額縁形態に組立一体化された外枠であって、一定深さの囲い立壁（２）と、その上端部から内外方向へ張り出す化粧用トップフランジ（３）と、同じく囲い立壁（２）の下端部から内向きに張り出す蓋受け用ベースフランジ（４）とを備え、そのトップフランジ（３）が上記床板（１）の点検口（Ｏ）を縁取り被覆した係止状態のもとで、その囲い立壁（２）が床板（１）へ直かに又は上記ベースフランジ（４）と締結される別個な支持金具（図示省略）を介して、床組み構造材（根太）（５）に取り付け固定されている。その床板（１）や床組み構造材（５）に対する外枠（Ｆ）の固定ビスは、図示省略してある。
【００３８】
（Ｃ）は上記外枠（Ｆ）の内部に嵌合し得る大きさと平面形状の開閉蓋であって、一定厚みの合板（６）とその周縁部へタッピングネジ（図示省略）などを介して被着一体化された蓋枠（内枠）（７）とから成り、その蓋枠（７）の方形な一辺（後辺）が複数の蝶番（８）によって、上記外枠（Ｆ）の囲い立壁（２）へ内側から枢着されている。
【００３９】
その結果、開閉蓋（Ｃ）は蝶番（８）の水平な第１支点軸（Ｐ１）を中心として、図１〜５のように起伏的に回動作用し得る。（９）はその開閉蓋（Ｃ）の前辺へ片寄った位置において、沈没状態に枢着された半円形の回動把手であり、これを起し出して開閉操作できるようになっている。
【００４０】
その場合、図示の実施形態では上記開閉蓋（Ｃ）の蓋枠（７）を別個なコーナー連結ピース（１０）の介挿使用によって、平面視の方形に枠組み一体化しているが、このような合成樹脂製コーナー連結ピース（１０）の使用を省略して、上記蓋枠（７）をその隣り合う端部同士での約４５度に突き合わせることにより、同様な額縁形態に組立一体化しても良い。
【００４１】
（Ｂ）は左右一対のサイド支持ステー用取付ブラケットであって、その何れも向かい合う一対のアングル形鋼板（１１）から図６〜８のように、全体的なチャンネル溝形（門字形）に組立一体化されている。つまり、各取付ブラケット（Ｂ）におけるアングル形鋼板（１１）のフラットな座板片（１１ａ）同士が重合された上、複数の皿ビス（１２）を介して固定されているのである。
【００４２】
そして、その各取付ブラケット（Ｂ）の座板片（１１ａ）は別個な複数の皿ビス（１３）や接着剤などによって、上記開閉蓋（Ｃ）における左右両サイド辺の中途部へ裏側から取り付け固定されている一方、その取付状態のもとで開閉蓋（Ｃ）から裏向きに突出することとなる上記アングル形鋼板（１１）の向かい合う平行な起立板片（１１ｂ）のほぼ中央部には、上記第１支点軸（Ｐ１）と平行な水平の第２支点軸（Ｐ２）となる揺動ダンパー（Ｄ）が横断状態に軸架されている。
【００４３】
揺動ダンパー（Ｄ）はオイルの圧力（粘性抵抗）により発生する制動トルクを利用した回転系のダンパーであって、図１０、１１に例示するように、回転軸（１４）が作動室（１５）の一方（Ａ）へ回転すると、弁体（１６）がオイルの圧力を受けて閉止面（１７）に接当し、オイルの流通を阻止することにより、制動トルクを発生させると共に、同じく回転軸（１４）が作動室（１５）の他方（Ｒ）へ回転すると、弁体（１６）が閉止面（１７）から離れて、オイルの流通を許容することにより、制動トルクを発生させない構成になっているため、その制動トルクを発生させる回転方向（Ａ）が、上記開閉蓋（Ｃ）の後述する閉蓋方向（伏倒する方向）となり、逆に制動トルクを発生させない回転方向（Ｒ）が、同じく開閉蓋（Ｃ）の開蓋方向（起し上げ方向）となる関係状態に取り付け使用する。
【００４４】
尚、図１０、１１の符号（１８）は揺動ダンパー（Ｄ）のケース、（１９）はそのケース（１８）から内向きに張り出す一対の仕切り凸条、（１４ａ）は上記回転軸（１４）の出力軸部（可動端）、（１４ｂ）は上記取付ブラケット（Ｂ）の起立板片（１１ｂ）に対する揺動ダンパー（Ｄ）の固定端を示している。
【００４５】
（Ｓ）は左右一対のサイド支持ステーであって、図９のような一定の帯幅と作用長さ（Ｌ）を備えた細長い鋼板から成り、上記開閉蓋（Ｃ）の前後方向に沿って延在するが、その基端部（後端部）は径大な取付円板（２０）として造形されており、その取付円板（２０）の中心部が図６〜８のように上記揺動ダンパー（Ｄ）の回転軸（１４）における取付ブラケット（Ｂ）の起立板片（１１ｂ）から張り出す出力軸部（１４ａ）へ、一緒に回転し得る状態に差し込み嵌合されている。その取付円板（２０）を抜け止め状態に保つ軸用止め輪は図示省略してある。
【００４６】
但し、上記揺動ダンパー（Ｄ）には一定の余裕角度（所謂遊び角度／クリヤランス）（図例の場合約３０度）（α）が設けられており、制動トルクを発生するか否かに拘らず、その余裕角度（α）分だけは回転軸（１４）が時計方向と反時計方向への何れにも空転し、これを超えた大きな角度に到達すれば、その回転軸（１４）と上記サイド支持ステー（Ｓ）とが時計方向と反時計方向への何れにも一体回転する（連れ廻る）ようになっている。
【００４７】
そのために、上記回転軸（１４）の出力軸部（１４ａ）が図１４〜１６のような平行の扁平面を備えたほぼ楕円形の凸起として造形されている一方、これと嵌合するサイド支持ステー（Ｓ）側の軸受け口（２１）が図９のような上記余裕角度（α）を与えられた特殊輪郭形状として切り抜かれている。
【００４８】
更に言えば、開閉蓋（Ｃ）を図１の全開状態から図４のように、上記余裕角度（α）分だけ閉蓋方向（Ａ）へ伏倒する当初には、揺動ダンパー（Ｄ）の回転軸（１４）が空転して、制動トルクを発生せず、その余裕角度（α）を過ぎてから開閉蓋（Ｃ）が図５の全閉状態になるまでは、同じく揺動ダンパー（Ｄ）の回転軸（１４）が上記サイド支持ステー（Ｓ）と一緒に回転して、開閉蓋（Ｃ）の制動トルクを発生することになる。このことは蓋開閉作用の説明として、詳しく後述する。
【００４９】
尚、開閉蓋（Ｃ）を全閉状態から開蓋方向（Ｒ）へ起し上げる回動作用過程でも、その当初における回転軸（１４）だけの空転と、余裕角度（α）の経過後における回転軸（１４）とサイド支持ステー（Ｓ）との一体回転（連れ廻り）は営なまれるが、その揺動ダンパー（Ｄ）は一方向性のものとして、開蓋方向（Ｒ）へ回転する時に制動トルクを発生しないため、これ以上の説明は省略する。
【００５０】
（２２）は上記サイド支持ステー（Ｓ）における取付円板（２０）の円周面へ、図９に示すような一定の回動角度範囲（β）だけ刻設された歯、（２３）はその取付円板（２０）の歯（２２）と相俟ってラチェット機構を形作る係止爪であって、図６〜８のように上記取付ブラケット（Ｂ）の起立板片（１１ｂ）へネジ締結具（２４）によって枢着されている。
【００５１】
しかも、その係止爪（２３）と起立板片（１１ｂ）との相互間には、引張りコイルバネ（２５）が連繋掛架されており、これによって係止爪（２３）が上記取付円板（２０）の歯（２２）に常時係止する方向へ押圧付勢されている。
【００５２】
そして、上記歯（２２）の刻設された回動角度範囲（β）は図９に示す如く、開閉蓋（Ｃ）における全開状態から全閉状態までの一定な回動角度範囲（図例では約１０５度）（γ）よりも狭小（例えば約１００度）に設定されており、上記開閉蓋（Ｃ）が全開状態と全閉状態にある時、その係止爪（２３）は上記回動角度範囲（β）の言わば両端からはずれた外部位置へ臨み、上記サイド支持ステー（Ｓ）における取付円板（２０）の歯（２２）へ係止しないように設定されている。
【００５３】
又、（２６）は上記サイド支持ステー（Ｓ）における取付円板（２０）の中心部から図９のように、その円周面まで到達しない短距離を一定の回動半径（ｒ１）とする円弧運動軌跡（Ｘ１−Ｘ１）上へ、上記開閉蓋（Ｃ）における全開状態から全閉状態までの一定な回動角度範囲（図例では約１０５度）（γ）だけ、一定間隔おきでの点在分布状態に開口形成された複数（図例では合計６個）のロックピン受け入れ孔であり、後述のロックピンを受け入れやすい好ましくは楕円形に開口されている。
【００５４】
（２７）は同じくサイド支持ステー（Ｓ）における取付円板（２０）の中心部からやはり図９のように、上記取付ブラケット（Ｂ）の起立板片（１１ｂ）とオーバーラップしない長距離を一定の回動半径（ｒ２）とする円弧形状として、そのサイド支持ステー（Ｓ）の基端部（後端部）へ片寄った途中に張り出し形成されたピン受け入れ板片であり、その一定の回動半径（ｒ２）を保つ円弧運動軌跡（Ｘ２−Ｘ２）上には、後述する荷重支持バネの張力調整用となる複数（図例では合計７個）のネジ孔（２８）が開口分布されている。その複数から択一したネジ孔（２８）へ内側からバネ受けピン（２９）を抜き差し自在にねじ込み使用することによって、荷重支持バネ（キックバネ／蔓巻きコイルバネ）の張力（バネ圧）を強弱調整することができるようになっている。
【００５５】
上記サイド支持ステー（Ｓ）の先端部（前端部）からは図１〜３のように、水平なローラー支軸（３０）が外向き一体的に張り出されており、これに遊転ローラー（コロ）（３１）が嵌合されている。遊転ローラー（３１）は硬質な合成樹脂（好ましくは商品名：ジュラコン）から成り、後述の走行ガイドレールと係合しながら転動する。
【００５６】
（Ｇ）は上記外枠（Ｆ）の真下位置を前後方向に沿って延在する左右一対の平行な走行ガイドレールであって、図１〜３や図１２、１３のようなリップ（３２）付きのチャンネル溝形に押出成形されたアルミ材やリップ（３２）付きのチャンネル溝形鋼材から成り、その溝底となる背壁面（３３）が複数の皿ビス（３４）によって、床組み構造材（根太）（５）に取り付け固定されている。その結果、正面が上記点検口（Ｏ）の内側に向かって（横向きに）開口した列設状態にある。
【００５７】
そして、上記サイド支持ステー（Ｓ）の先端部（前端部）に軸支されている遊転ローラー（３１）が、その走行ガイドレール（Ｇ）のリップ（３２）と係合しながら前後方向へ転動するようになっている。
【００５８】
つまり、上記開閉蓋（Ｃ）が第１支点軸（Ｐ１）を中心として伏倒方向（Ａ）へ回動される閉蓋時には、第２支点軸（Ｐ２）を中心として同じく伏倒方向へ追従回動するサイド支持ステー（Ｓ）を介して、遊転ローラー（３１）が図１から図４を経て図５のように、その走行ガイドレール（Ｇ）を前方へ転動する。
【００５９】
他方、開閉蓋（Ｃ）がやはり第１支点軸（Ｐ１）を中心として起し上げ方向（Ｒ）へ回動される開蓋時には、第２支点軸（Ｐ２）を中心として同じく起し上げ方向へ追従回動するサイド支持ステー（Ｓ）を介して、遊転ローラー（３１）が逆に図５から図１のように、その走行ガイドレール（Ｇ）を後方へ転動することになる。
【００６０】
（３５）はその走行ガイドレール（Ｇ）の少なくとも開口後端部を閉塞するストッパーであって、アングル形鋼板から成り、その座板片（３５ａ）が上記走行ガイドレール（Ｇ）の背壁面（３３）へ、図１２、１３のように複数の皿ビス（３６）によって取り付け固定されていると共に、残る起立板片（３５ｂ）によって上記遊転ローラー（３１）を受け止め、脱輪しないようになっている。
【００６１】
更に、（３７）は上記サイド支持ステー用取付ブラケット（Ｂ）に軸架された水平な揺動ダンパー（Ｄ）を言わば巻き付け芯として、その円周面に各々巻き付けられた荷重支持バネ（キックバネ／蔓巻きコイルバネ）であり、図６〜８に示す如く、その揺動ダンパー（Ｄ）の円周面から比較的長く張り出す一端部（３７ａ）が、上記サイド支持ステー（Ｓ）における円弧形ピン受け板片（２７）のネジ孔（２８）から内向き突出するバネ受けピン（２９）に係止されている一方、同じく揺動ダンパー（Ｄ）の円周面から比較的短く張り出す他端部（３７ｂ）が、次のような水平の回動ロックピン（Ｋ）へ係止されることによって、上記開閉蓋（Ｃ）を常時起し上げる回動方向（開蓋方向）（Ｒ）へ弾圧付勢している。
【００６２】
回動ロックピン（Ｋ）は図６〜８や図１８、１９から明白なように、上記サイド支持ステー用取付ブラケット（Ｂ）の向かい合う平行な起立板片（１１ｂ）へ、揺動ダンパー（Ｄ）と軸線同士の平行する横断状態に設置されており、その内側の起立板片（１１ｂ）から外側の起立板片（１１ｂ）を貫通して、上記サイド支持ステー（Ｓ）の取付円板（２０）に開口分布するロックピン受け入れ孔（２６）へ、抜き差し自在（進退自在）に差し込まれるようになっている。
【００６３】
つまり、上記取付ブラケット（Ｂ）における内側の起立板片（１１ｂ）には径大なピン挿通孔（３８）と、同じく外側の起立板片（１１ｂ）には径小なピン挿通孔（３９）とが向かい合う状態に各々対応形成されており、回動ロックピン（Ｋ）の比較的太い頭部をその径大なピン挿通孔（３８）によって、同じく比較的細い先端部をその径小なピン挿通孔（３９）によって各々軸受けしている。
【００６４】
（４０）は回動ロックピン（Ｋ）における上記内側の起立板片（１１ｂ）へ片寄った途中を支持するための軸受け板片であり、上記サイド支持ステー用取付ブラケット（Ｂ）のフラットな座板片（１１ａ）から起立板片（１１ｂ）と同じ方向（裏向き）へ一体的に突設されている。
【００６５】
しかも、その回動ロックピン（Ｋ）が上記取付ブラケット（Ｂ）における内側の起立板片（１１ｂ）と軸受け板片（４０）との相互間へ臨む（介在する）ことになる首部には、図１９のようなバネ受け凹周溝（４１）が切り欠かれており、上記荷重支持バネ（３７）の比較的短かい切り離し他端部（３７ｂ）がそのバネ受け凹周溝（４１）の内部へ係止されることによって、回動ロックピン（Ｋ）をその先端部が上記サイド支持ステー（Ｓ）側のロックピン受け入れ孔（２６）から抜け出した退避状態に保持している。
【００６６】
又、そのバネ受け凹周溝（４１）を付与された首部と、上記比較的細い先端部との相互間は、比較的太い頭部と同じ太さの中間部として造形されており、ここには回動ロックピン（Ｋ）をサイド支持ステー（Ｓ）側のロックピン受け入れ孔（２６）へ常時差し込む方向（外方）（Ｚ）に押圧付勢するための圧縮コイルバネ（４２）が巻き付けられている。（４３）はその回動ロックピン（Ｋ）の中間部に嵌合されたバネ受け座金であり、上記軸受け板片（４０）と向かい合っている。そのバネ受け座金（４３）を位置決め調整するための軸用止め輪は図示省略してある。
【００６７】
そして、上記荷重支持バネ（３７）が経年的な使用中に万一折損したり、或いはその切り離し一端部（３７ａ）がサイド支持ステー（Ｓ）側のバネ受けピン（２９）から離脱したりした場合には、図１８、１９に示す如く、同じく荷重支持バネ（３７）の切り離し他端部（３７ｂ）が言わばフリーな状態となって、上記回動ロックピン（Ｋ）側のバネ受け凹周溝（４１）から浮き上がる如く離脱するため、その上記圧縮コイルバネ（４２）の押圧付勢力を受けている回動ロックピン（Ｋ）は、その先端部からサイド支持ステー（Ｓ）側のロックピン受け入れ孔（２６）へ自づと差し込み係止されることとなり、そのサイド支持ステー（Ｓ）を回動不能にロックするのである。
【００６８】
但し、図示の実施形態では上記荷重支持バネ（３７）の比較的短かい切り離し他端部（３７ｂ）を、サイド支持ステー（Ｓ）側のロックピン受け入れ孔（２６）へ抜き差し自在に差し込まれる特殊な長い回動ロックピン（Ｋ）の首部において受け止めているが、その回動ロックピン（Ｋ）に代る単純な短かいバネ受けピン（図示省略）を、上記サイド支持ステー用取付ブラケット（Ｂ）における向かい合う起立板片（１１ｂ）の内外相互間や、その内側の起立板片（１１ｂ）と軸受け板片（４０）との相互間へ固定横架させて、その固定部材である上記取付ブラケット（Ｂ）側のバネ受けピンへ荷重支持バネ（３７）の切り離し他端部（３７ｂ）を係止させると共に、可動部材である上記サイド支持ステー（Ｓ）側のバネ受けピン（２９）へ図示実施形態と同様にして、荷重支持バネ（３７）の切り離し一端部（３７ａ）を係止させても良い。
【００６９】
本発明に係る上記実施形態の蓋開閉作用を説明すると、図１、２は開閉蓋（Ｃ）の全開状態を示しており、その開閉蓋（Ｃ）が第１支点軸（Ｐ１）を中心として、床板（１）の平面から一定の回動角度（開度）（γ）（図例では約１０５度）だけ起し上げられた状態にある。
【００７０】
その場合、開閉蓋（Ｃ）に追従して、第２支点軸（Ｐ２）の廻りに起し上げられたサイド支持ステー（Ｓ）側の遊転ローラー（３１）が、その走行ガイドレール（Ｇ）側のストッパー（３５）に受け止められて、後方へ脱輪しないようになっているため、上記開閉蓋（Ｃ）の全開状態は安定良く保持される。
【００７１】
次に、図４は上記開閉蓋（Ｃ）を図１、２の全開状態から荷重支持バネ（３７）の付勢力に抗しつつ閉蓋方向（Ａ）へ、揺動ダンパー（Ｄ）の余裕角度（遊び角度）（α）（図例では約３０度）分だけ伏倒させた中途過程として、その未だ一定の回動角度（θ）（図例では約７５度）だけ開放した状態（但し、この状態で止まることはない）を示しているが、揺動ダンパー（Ｄ）の余裕角度（α）分だけ閉蓋方向（Ａ）へ伏倒する当初には、図１４と図１５との対比から示唆されるように、その揺動ダンパー（Ｄ）の回転軸（１４）が空転して、制動トルクを発生しないため、その間には荷重支持バネ（３７）の張力だけが、開閉蓋（Ｃ）に作用すると言える。
【００７２】
そして、図４の中途過程から図５の全閉状態へ、上記開閉蓋（Ｃ）を引き続き伏倒させて行くと、図１５と図１６との対比からから示唆されるように、揺動ダンパー（Ｄ）の回転軸（１４）とサイド支持ステー（Ｓ）とは一体回転し（連れ廻り）、その揺動ダンパー（Ｄ）から発生する制動トルクが開閉蓋（Ｃ）に作用することとなる。
【００７３】
その場合、開閉蓋（Ｃ）は上記中途過程での一定な回動角度（θ）にある傾斜姿勢から、その回動角度（開度）の言わば零となる水平姿勢の全閉状態へ徐々に変化するに連れて、その荷重も変化して、徐々に大きくなるが、上記揺動ダンパー（Ｄ）の制動トルクは一定であるため、開閉蓋（Ｃ）が全閉状態へ回動進行する程、その開閉蓋（Ｃ）の荷重に対抗する揺動ダンパー（Ｄ）の制動トルクは相対的に弱まる結果となる。
【００７４】
この点、本発明の上記実施形態では揺動ダンパー（Ｄ）に巻き付けられた荷重支持バネ（３７）が、開閉蓋（Ｃ）を常時起し上げる回動方向（開蓋方向）（Ｒ）へ弾圧付勢しており、そのバネ圧（張力）は開閉蓋（Ｃ）の全閉状態へ回動進行する程、相対的に強く働くことになるため、これによって揺動ダンパー（Ｄ）の働きを補完することができ、その荷重支持バネ（３７）と揺動ダンパー（Ｄ）との協働作用により、開閉蓋（Ｃ）の荷重をその傾斜角度（開度）の変化に拘らず、言わば常時ほぼ一定に平準化して、上記開閉蓋（Ｃ）を図１の全開状態から図５の全閉状態まで、全体として均一な回動速度のもとにゆっくり伏倒させることができるようになっている。
【００７５】
尚、上記開閉蓋（Ｃ）を図１の全開状態から図５の全閉状態へ伏倒させて行く過程では、サイド支持ステー（Ｓ）が開閉蓋（Ｃ）の荷重を受けているため、その取付ブラケット（Ｂ）側の係止爪（２３）は図１５に示唆する如く、サイド支持ステー（Ｓ）の取付円板（２０）に刻設されている歯（２２）から浮上する状態に保たれることとなり、その歯（２２）に係止することはない。
【００７６】
逆に、図５のような開閉蓋（Ｃ）の全閉状態から、その開閉蓋（Ｃ）の回動把手（９）を持って起し上げることにより、図１のような全開状態を得られるが、その過程では荷重支持バネ（３７）の張力が作用中にあるため、これによって開閉蓋（Ｃ）を軽快に持ち上げることができ、又上記取付ブラケット（Ｂ）側の係止爪（２３）はサイド支持ステー（Ｓ）側の歯（２２）から浮上する状態にあり、その歯（２２）に係止しないので、開閉蓋（Ｃ）は円滑に開蓋方向（Ｒ）へ回動する。
【００７７】
そして、その開蓋方向（Ｒ）への起し上げ中途過程において、万一操作手を放した場合には、上記サイド支持ステー（Ｓ）の取付円板（２０）に刻設された歯（２２）と、その取付ブラケット（Ｂ）側の係止爪（２３）とが図１７のように係止し、その状態は開閉蓋（Ｃ）の荷重を受けて強化されることになるため、その開閉蓋（Ｃ）が全閉状態まで急激に落下して、衝撃音を発生したり、操作手を負傷したりするおそれはない。
【００７８】
上記開閉蓋（Ｃ）を全開状態から全閉状態へ伏倒させ、又その逆に全閉状態から全開状態へ引き起す何れにあっても、その使用中揺動ダンパー（Ｄ）に巻き付けられた荷重支持バネ（３７）の切り離し一端部（３７ａ）はサイド支持ステー（Ｓ）側のバネ受けピン（２９）に係止されていると共に、同じく荷重支持バネ（３７）の切り離し他端部（３７ｂ）は回動ロックピン（Ｋ）側のバネ受け凹周溝（４１）に係止されており、その回動ロックピン（Ｋ）が図６〜８に示すように、上記サイド支持ステー（Ｓ）側のロックピン受け入れ孔（２６）から抜き出された退避状態に保たれているため、そのサイド支持ステー（Ｓ）は上記揺動ダンパー（Ｄ）の回転軸（１４）と一体回転し得る。
【００７９】
ところが、経年的な使用中に上記荷重支持バネ（３７）が万一折損したり、或いはその切り離し一端部（３７ａ）が上記バネ受けピン（２９）から離脱したりする事故を生じた場合には、その荷重支持バネ（３７）における切り離し他端部（３７ｂ）との係止を解除された回動ロックピン（Ｋ）が、図１８、１９に示すようにその事故を生じた時点での対応位置するサイド支持ステー（Ｓ）側のロックピン受け入れ孔（２６）へ、自づと差し込み係止されることになり、そのサイド支持ステー（Ｓ）と延いては揺動ダンパー（Ｄ）並びに開閉蓋（Ｃ）の回動をロックするため、使用上の危険がなく、上記荷重支持バネ（３７）の交換や必要な再組立などを行うことにより、支障なく使用継続することができる。
【００８０】
先には図１〜１９に基いて、床下点検口の開閉蓋に適用した本発明の実施形態を説明したが、その床下点検口用のみならず、床下収納庫用の開閉蓋についても本発明を適用することができる。
【００８１】
即ち、図２０、２１は２連式（但し、１個だけ図示している）としてスライドされる床下収納庫に適用した本発明の別な実施形態を示しており、その床下収納庫本体（４５）の方形な開口が上記開閉蓋（Ｃ）によって開閉されるようになっている。その蓋開閉機構としての構成や開閉作用は、図１〜１９の上記実施形態と実質的に同一であるため、図２０、２１に図１〜１９との同一符号を記入するにとどめて、その詳細な説明を省略する。
【００８２】
スライド式の床下収納庫では図２０、２１のように、その床下収納庫本体（４５）の開口上縁部（４６）に左右一対づつ（合計４個）のハンガーブラケット（４７）が付属一体化されている。そのハンガーブラケット（４７）はほぼ倒立Ｕ字形の金属板から成り、その溝内に各々軸支された滑車（４８）が、左右一対の平行なハンガーレール（４９）上を転がり、そのハンガーレール（４９）に沿って前後方向へ移動するようになっている。
【００８３】
上記滑車（４８）のハンガーレール（４９）は、図１〜１９に基いて説明した遊転ローラー（コロ）（３１）の走行ガイドレール（Ｇ）よりも下方位置にあり、別な床組み構造材（大引）（５０）へ溶接やその他の固定手段によって取り付け固定されている。
【００８４】
本発明の蓋開閉機構では、上記遊転ローラー（３１）の走行ガイドレール（Ｇ）が床組み構造材（根太）（５）に取り付け固定されるようになっている構成であるため、上記外枠（Ｆ）に枢着される開閉蓋（Ｃ）と、床下収納庫本体（４５）の開口上縁部（４６）との左右相互間隙や、外枠（Ｆ）と床下収納庫本体（４５）との左右相互間隙が狭小であっても、その間隙へ支障なく内蔵設置することができる。
【００８５】
更に言えば、上記遊転ローラー（３１）の走行ガイドレール（Ｇ）が床組み構造材（根太）（５）へ取り付け固定されるようになっている構成の場合、本発明の蓋開閉機構を既設の建物へ容易に後付け使用できる利点がある。
【００８６】
但し、上記遊転ローラー（３１）の走行ガイドレール（Ｇ）を既設の床組み構造材（根太）（５）へ取り付け固定する代りに、外枠（Ｆ）の延長された下端部へ取り付け固定しても良く、又図２２に示す如く外枠（Ｆ）を、その下端部に上記遊転ローラー（３１）の走行ガイドレール（Ｇ）が付属する連続一体品として、アルミ材から押出成形すると共に、その走行ガイドレール（Ｇ）付きの外枠（Ｆ）を床板（１）又は／及び床組み構造材（根太）（５）へ、複数の点在分布する皿ビス（３４）（５１）や接着剤などによって取り付け固定しても良い。これによれば、新設の建物に対する施工性や量産効果などの向上に役立つ。
【００８７】
尚、上記遊転ローラー（３１）の走行ガイドレール（Ｇ）としても図示実施形態のようなリップ（３２）付きのチャンネル溝形に作成されたものだけに限らず、その遊転ローラー（３１）を前後方向へ直線的に移動させることができるならば、エ字形やその他の非チャンネル溝形の走行ガイドレール（Ｇ）としてもさしつかえない。
【符号の説明】
【００８８】
（１）・床板
（２）・囲い立壁
（５）・床組み構造材（根太）
（７）・蓋枠
（８）・蝶番
（９）・回動把手
（１１）・アングル形鋼板
（１１ａ）・座板片
（１１ｂ）・起立板片
（１４）・回転軸
（１４ａ）・出力軸部
（１５）・作動室
（１６）・弁体
（１７）・閉止面
（１８）・ケース
（１９）・仕切り凸条
（２０）・取付円板
（２１）・軸受け口
（２２）・歯
（２３）・係止爪
（２５）・引張りコイルバネ
（２６）・ロックピン受け入れ孔
（２７）・ピン受け入れ板片
（２８）・ネジ孔
（２９）・バネ受けピン
（３０）・ローラー支軸
（３１）・遊転ローラー
（３５）・ストッパー
（３７）・荷重支持バネ
（３７ａ）・切り離し一端部
（３７ｂ）・切り離し他端部
（３８）（３９）・ピン挿通孔
（４０）・軸受け板片
（４１）・バネ受け凹周溝
（４２）・圧縮コイルバネ
（４３）・バネ受け座金
（４５）・床下収納庫本体
（４６）・開口上縁部
（４７）・ハンガーブラケット
（４８）・滑車
（４９）・ハンガーレール
（５０）・床組み構造材（大引）
（Ａ）・閉蓋方向
（Ｂ）・取付ブラケット
（Ｃ）・開閉蓋
（Ｄ）・揺動ダンパー
（Ｆ）・外枠
（Ｇ）・走行ガイドレール
（Ｋ）・回動ロックピン
（Ｏ）・点検口
（Ｒ）・開蓋方向
（Ｓ）・サイド支持ステー
（Ｐ１）・第１支点軸
（Ｐ２）・第２支点軸
（α）・余裕角度（遊び角度）
（β）（γ）（θ）・回動角度範囲
（Ｘ１−Ｘ１）（Ｘ２−Ｘ２）・円弧運動軌跡